(57)【特許請求の範囲】
【請求項１】
板状の連結体に所定の間隔をおいて立設された複数の綴じ杆と、係止孔を有する複数の係止孔用突起が板状体に設けられた、綴じ杆に係止する、前記連結体と別体の係止体とからなり、綴じ杆には複数の係止突起が所定間隔で設けられ、係止孔内には上方向で且つ中心方向に向かって傾斜した、係止突起に引っ掛ける複数の係止片が設けられ、綴じ杆の根本及び係止孔用突起が用紙の綴孔に押し込まれて締め圧力で係止できるように肉厚に形成されていることを特徴とする綴じ具。
【発明の詳細な説明】
【０００１】
【発明の属する技術分野】
本発明は、帳票、書類等の製本、コンピュータ製表の活用綴あるいは保存綴等の用紙の綴りに用いる綴じ具に関する。
【０００２】
【従来の技術】
従来、帳票、書類、コンピュータ製表等の整理あるいは保存のため、これらを綴じて製本するのに、綴孔に綴じ紐を通して製本している。図３は、従来の綴じ紐による製本の一例を示す斜視図で、裏表紙３１、帳票３２、おもて表紙３３を重ねて綴孔３４に綴じ紐３５を通して二方あるいは三方から二重以上の輪をかけ、綴じ紐を絞り上げて結んで製本している。
【０００３】
また、図４は、綴り杆と止めリングとからなる綴り具の説明図で、図４−（ａ）は綴じ杆の正面図、図４−（ｂ）は係止リングの平面図、図４−（ｃ）は係止リングの断面図で、多数の係止突起４１を設けた合成樹脂製の綴じ杆４２と係止リング４３とを組合せ、綴じ杆４２を製本する用紙の綴孔に通し、用紙の上部に出ている綴じ杆４２の先端から係止リング４３を押し込み、係止突起４１に係止片４４を引っ掛けて、係止リングリング４３を係止し、製本するものである。
【０００４】
【発明が解決しようとする課題】
前記従来の綴じ具のうち、綴じ紐による製本は、綴じ紐を綴孔に何度も通さなくてはならないので、作業が煩わしく、仕上に経験を要し、綴じ紐の通し方あるいは結び方によっては、綴じ紐がゆるんだり解けたりして、用紙が不ぞろいとなり、また、綴じ紐が切れて用紙がバラバラとなる欠点がある。
【０００５】
また、綴じ杆と係止リングとを組合せた綴じ具で製本する場合、分離している各綴じ杆をそれぞれ係止リングに係止するので、製本が捻じれに弱く、また、係止リングが小さく、かつ強く押さえる時に指が痛いので、係止リングを十分に押さえにくく、その結果、係止リングの押し込みが不足し、しかも、綴り杆の径が細いため、綴孔の中に遊びがあり、用紙がずれ易く、したがって、用紙の一部が飛び出たり、あるいは引っ込んだりして用紙が不ぞろいとなり、用紙をきれいに仕上がりよく綴じることができないという欠点がある。また、止めリングが薄い平板状であるため、用紙を押し広げると係止片が外れ易いという欠点もある。
【０００６】
そこで、本発明は、帳票、コンピュータのストックフォーム用紙等の用紙を簡単に仕上がりよく製本でき、かつ製本後は用紙がバラバラとなることもなく、しっかりときれいに綴じた状態を維持することのできる綴じ具を提供するものである。
【０００７】
【課題を解決するための手段】
本発明の綴じ具は、板状の連結体に所定の間隔をおいて立設された複数の綴じ杆と、係止孔を有する複数の係止孔用突起が板状体に設けられた、綴じ杆に係止する、前記連結体と別体の係止体とからなり、綴じ杆には複数の係止突起が所定間隔で設けられ、係止孔内には上方向で且つ中心方向に向かって傾斜した、係止突起に引っ掛ける複数の係止片が設けられ、綴じ杆の根本及び係止孔用突起が用紙の綴孔に押し込まれて締め圧力で係止できるように肉厚に形成されていることを特徴とする。
【０００９】
【発明の実施の形態】
図１は本発明の綴じ杆の説明図で、図１−（ａ）は綴じ杆の正面図、図１−（ｂ）は平面図、図１−（ｃ）は綴じ杆の一部拡大図であって、複数の綴じ杆１が所定の間隔をおいて連結体２に立設されている。本実施例では２本の綴じ杆の例を示しているが、綴じ杆１は、製本する用紙の綴孔の数に応じて適宜選択することができる。綴じ杆１の根本３は、根本３が用紙の綴孔に押し込まれて綴じ杆１と用紙が強固に係止できるように肉厚に形成する。綴じ杆１と連結体２とは、合成樹脂で一体成形することにより製作することができる。
【００１０】
綴じ杆１には、後述する係止体５（図２参照）を係止するための係止突起４が所定の間隔で形成されている。その間隔は綴じ杆１の間隔に対応する。係止突起４は、係止体５を通し易くするとともに確実に係止するため、円錐台形がよい。
図２は本発明の係止体の説明図で、図２−（ａ）は係止体の正面図、図２−（ｂ）は係止体の平面図、図２−（ｃ）は係止孔の拡大図、図２−（ｄ）は係止孔の断面図である。
【００１１】
綴じ杆１に係止する係止体５は、板状体６に係止孔７を有する複数の係止孔用突起８が設けられている。係止孔７の数は、綴じ杆１の本数に応じて設ければよい。係止孔７内には、複数の係止片９が設けられている。係止片９の形状は、綴じ杆１の係止突起４に引っ掛かる形状であればよい。
【００１２】
本発明においては、図４に示す従来の薄い係止リング４３に係止片４４を設けるのではなく、係止孔用突起８内に係止片９を設けるので、用紙を押し広げても、係止孔用突起８が用紙の綴孔に規制されて傾かず、係止片９が綴じ杆１の係止突起４からきわめて外れにくい。特に、図２−（ｄ）に示すように、係止片９を上方に向けて傾斜させると、綴じ杆１に係止体５を係止後、係止片９が綴じ杆１の係止突起４から抜けることがない。また、係止孔用突起８は、用紙の綴孔に押し込まれて強固に係止できるように肉厚に形成する。
【００１３】
次に、本発明の綴り具の使用方法について説明する。
【００１４】
製本すべき用紙の綴孔に綴じ杆１を通し、用紙の上に出ている綴じ杆１に係止体５の係止孔用突起８の係止孔７を通し、板状体６を押さえ込んで、係止孔７内の係止片９を綴り杆１の係止突起４に係止させる。綴り杆１の根本３及び係止体５の係止孔用突起８は肉厚に形成されているので、用紙の綴孔に強固に押し込まれ、締め込み圧力により、用紙はズレることなく綴じられる。
【００１５】
【発明の効果】
（１）  係止体が板状体なので、係止孔用突起を簡単に押さえることができ、そのため、指を痛めることなく、強く押さえて係止孔内の係止片を各綴り杆の係止突起に係止させることができ、仕上がりよく製本することができる。
【００１６】
（２）  複数の綴じ杆と係止孔用突起とをそれぞれ連結体及び板状体に設けているので、用紙の複数の綴孔に一度に綴じ杆を通して係止用突起に係止片を係止できるので、従来の綴孔ごとに綴じ杆を通して係止リングを係止して綴じるのに比べて製本に要する時間が短く、かつ用紙を簡単に仕上がりよく製本でき、その上、綴じ杆と係止孔用突起とが分離していないので、製本が捻じれに強く、製本後は用紙がバラバラとなることもなく、しっかりと綴じた状態を保持することのできる。
【００１７】
（３）  綴じ杆の根本と係止孔用突起とを肉厚に形成したので、綴じ杆の根本と係止孔用突起とが用紙の綴孔に押し込まれ、さらに、用紙の締め込み圧力により、用紙がズレにくく、きれいに製本することができる。
【００１８】
（４）  係止孔用突起の係止孔内の係止片を上方に傾斜させることにより、係止片の移動が綴り杆の係止突起に強く拘束され、係止体が綴じ杆から外れにくくなる。
【図面の簡単な説明】
【図１】本発明の綴じ杆の説明図で、図１−（ａ）は綴じ杆の正面図、図１−（ｂ）は平面図、図１−（ｃ）は綴じ杆の一部拡大図である。
【図２】本発明の係止体の説明図で、図２−（ａ）は係止体の正面図、図２−（ｂ）は係止体の平面図、図２−（ｃ）は係止孔の拡大図、図２−（ｄ）は係止孔の断面図である。
【図３】従来の綴じ紐による製本の一例を示す斜視図である。
【図４】従来の綴り杆と止めリングとからなる綴り具の説明図で、図４−（ａ）は綴じ杆の正面図、図４−（ｂ）は係止リングの平面図、図４−（ｃ）は係止リングの断面図である。
【符号の説明】
１  綴じ杆
２  連結体
３  綴じ杆の根本
４  係止突起
５  係止体
６  板状体
７  係止孔
８  係止孔用突起
９  係止片
３１  裏表紙
３２  帳票
３３  おもて表紙
３４  綴孔
３５  綴じ紐
４１  係止突起
４２  綴じ杆
４３  係止リング
４４  係止片
【図１】
0003605238.tif 000002
【図２】
0003605238.tif 000003
【図３】
0003605238.tif 000004
【図４】
0003605238.tif 000005